(57)【特許請求の範囲】
【請求項１】
溶湯容器の底部の溶湯流出孔から溶湯を流出させるスライディングノズル装置であって、
前記溶湯容器の底部側に設けられ前記溶湯流出孔に連通する通孔を備えるベースプレートと、
前記ベースプレートの下面側に第１の方向に沿ってスライド可能に配置された複数のスライディングノズル保持部材と、
前記複数のスライディングノズル保持部材に前記第１の方向と交差する第２の方向に沿ってスライド可能に収容されたスライディングノズルと、
前記複数のスライディングノズル保持部材を前記第１の方向に沿ってスライドさせる第１駆動手段と、
前記スライディングノズルを前記第２の方向に沿ってスライドさせてそのノズル孔を前記ベースプレートの前記通孔に連通する位置に合わせる第２駆動手段と、を有することを特徴とするスライディングノズル装置。
【請求項２】
前記ベースプレートの下面側に前記第２の方向に沿ってスライド可能に配置された複数の予備スライディングノズルと、
前記複数の予備スライディングノズルを前記第２の方向に沿ってスライドさせて前記スライディングノズル保持部材に収容させる第３駆動手段と、を有する請求項１に記載のスライディングノズル装置。
【発明の詳細な説明】
【技術分野】
【０００１】
本発明は、製鋼用のタンディッシュや取鍋等の溶湯容器の底部に設けられたスライディングノズルを交換するスライディングノズル装置に関する。
【背景技術】
【０００２】
タンディッシュや取鍋等の溶湯容器の底部に形成された出鋼口には、溶融金属の出鋼量を制御するためのスライディングノズル装置が具備されている。
【０００３】
従来のスライディングノズル装置（例えば、特許文献１参照）を図６に示す。溶鋼収納鍋の底部５０には、溶鋼の出鋼口５０aが設けられ、この出鋼口５０ａには、中央に流出孔６０ａを施した上ノズル６０が取付けられている。そして、上ノズル６０の下端部には、スライディングノズル装置７０が取付けられている。
【０００４】
スライディングノズル装置７０は、上ノズル６０の流出孔６０ａと連通する通孔７１aが設けられたベースプレート７１と、ベースプレート７１の下面にスライド可能に取り付けられたスライディングノズル７２と、スライディングノズル７２をスライドさせるスライド手段７３と、を備えている。スライディングノズル７２は、ベースプレート７１の下面にスライド可能に配置される通孔７２１aが形成されたノズルプレート７２１と、ノズルプレート７２１の下方に配置されるノズル孔７２３aが形成された下ノズル７２３とを備えている。
【先行技術文献】
【特許文献】
【０００５】
【特許文献１】特開平６−３３９７５７号公報
【発明の概要】
【発明が解決しようとする課題】
【０００６】
スライディングノズル７２は、出湯の度に通孔７２１a、ノズル孔７２３aの内壁が溶損したり、孔詰まりを起こしたりするので、定期的に或いはその都度交換される。上記従来のスライディングノズル装置の場合、出湯動作を停止してスライディングノズル７２をベースプレート７１から取り外し、新たなスライディングノズルを取り付ける必要があった。すなわち、従来のスライディングノズル装置７０は、スライディングノズル７２の交換に時間がかかり、出湯を長時間停止しなければならなかった。
【０００７】
スライディングノズルの交換を速やかに行うためには、複数のスライディングノズルを備える必要がある。しかし、上記従来のスライディングノズル装置は、スライディングノズルのスライドを一方向にガイドするものであるため、複数のスライディングノズルを一直線に並べて一方向にガイドしなければならない。その結果、スライディングノズル装置が長尺化、大型化するという問題があった。
【０００８】
本発明は、以上のような従来技術の問題点に鑑み創案されたもので、スライディングノズルの交換を速やかに行うことができ、小型化を図り得るスライディングノズル装置を提供することを目的としている。
【課題を解決するための手段】
【０００９】
上記の課題を解決するためになされた本発明は、溶湯容器の底部の溶湯流出孔から溶湯を流出させるスライディングノズル装置であって、前記溶湯容器の底部に設けられ前記溶湯流出孔に連通する通孔を備えるベースプレートと、前記ベースプレートの下面に第１の方向に沿ってスライド可能に配置された複数のスライディングノズル保持部材と、前記複数のスライディングノズル保持部材に前記第１の方向と交差する第２の方向に沿ってスライド可能に収容されたスライディングノズルと、前記複数のスライディングノズル保持部材を前記第１の方向に沿ってスライドさせる第１駆動手段と、前記スライディングノズルを前記第２の方向に沿ってスライドさせてそのノズル孔を前記ベースプレートの前記通孔に連通する位置に合わせる第２駆動手段と、を有することを特徴とする。
【００１０】
溶湯容器の底部の溶湯流出孔の周囲に複数のスライディングノズルをスライド可能に備えるので、一つのスライディングノズルが孔詰まりなどを起こしても別のスライディングノズルと速やかに交換することができる。
【００１１】
また、スライディングノズルが第１の方向にスライド可能なスライディングノズル保持部材に第１の方向と交差する第２の方向にスライド可能に収容されているので、スライド方向を変えることができる。その結果、複数のスライディングノズルを一直線に並べる必要がなくなり、スライディングノズル装置を小型化できる。
【００１２】
上記スライディングノズル装置において、前記ベースプレートの下面に前記第２の方向に沿ってスライド可能に配置された複数の予備スライディングノズルと、前記複数の予備スライディングノズルを前記第２の方向に沿ってスライドさせて前記スライディングノズル保持部材に収容させる第３駆動手段と、を有するとよい（請求項２）。
【００１３】
スライディングノズル保持部材のスライディングノズルが無くなっても予備スライディングノズルと速やかに交換することができ、スライディングノズルの補充回数を少なくできる。
【発明の効果】
【００１４】
溶湯容器の底部の溶湯流出孔の周囲に複数のスライディングノズルをスライド可能に備えるので、一つのスライディングノズルが孔詰まりなどを起こしても別のスライディングノズルと速やかに交換することができる。
【００１５】
また、スライディングノズルが第１の方向にスライド可能なスライディングノズル保持部材に第１の方向と交差する第２の方向にスライド可能に収容されているので、スライド方向を変えることができる。その結果、複数のスライディングノズルを一直線に並べる必要がなくなり、スライディングノズル装置を小型化できる。
【図面の簡単な説明】
【００１６】
【図１】実施形態１に係るスライディングノズル装置の概略側方視図である。
【図２】図１の上方視図である。
【図３】図２のＡ−Ａ線部分断面図である。
【図４】図２のＢ−Ｂ線部分断面図である。
【図５】実施形態２に係るスライディングノズル装置の上方視図である。
【図６】従来のスライディングノズル装置の断面図である。
【発明を実施するための形態】
【００１７】
本発明の実施形態を図面を参照して詳しく説明する。
【００１８】
（実施形態１） 図１は、本実施形態に係るスライディングノズル装置の概略側方視図、図２は、下から上方を見上げた上方視図である。図３は、図２のＡ−Ａ線部分断面図、図４は図２のＢ−Ｂ線部分断面図である。
【００１９】
図１及び図２に示すスライディングノズル装置は、溶湯容器の底部の溶湯流出孔から溶湯を流出させる装置である。スライディングノズルの交換を速やかに行うために複数のスライディングノズル３を備え、しかも、装置の小型化を図るためにスライディングノズル３のスライド方向を平面視において９０°曲げている。
【００２０】
スライディングノズル装置は、溶湯容器の底部に設けられ溶湯流出孔に連通する通孔１aを備えるベースプレート１と、ベースプレート１の下面側に水平方向に沿った直線Ｌ1（矢印A1で示す第１の方向）に沿ってスライド可能に配置された複数のスライディングノズル保持部材２と、を備えている。
【００２１】
また、スライディングノズル装置は、スライディングノズル保持部材２を矢印A1で示す第１の方向に沿ってスライドさせる第１駆動手段４と、スライディングノズル保持部材２に収容されたスライディングノズル３を第１の方向と交差する第２の方向（矢印A2で示す方向）に沿ってスライドさせてそのノズル孔３aをベースプレート１の通孔１aに連通する位置（使用位置Ｐ1）に合わせる第２駆動手段５と、を備えている。
【００２２】
スライディングノズル３は、第２の方向A2に沿う側面３b1を上部にもつ矩形状ノズルプレート３bを備えている。
【００２３】
そして、スライディングノズル装置は、通孔１aと連通する位置（使用位置Ｐ１）にスライドされたスライディングノズル３の第２の方向A2に沿うノズルプレート下面端部３b2を上方（ベースプレート２の下面）に押し付ける一対の加圧手段６を備えている。
【００２４】
スライディングノズル保持部材２は、図３に示すように、第１の方向A1（図３では紙面と交差する方向）に延びるレール１bに跨る跨り部２aを上方に備えており、第１の方向A1に沿ってスライドすることができる。
【００２５】
また、スライディングノズル保持部材２は、図１に示すように、第１の方向A1と交差する第２の方向A2（図１では紙面に交差する方向）にスライディングノズル３がスライドするのをガイドするガイド部２bと、スライディングノズル３のノズルプレート３bを下から受ける受け部２cとを備えている。ガイド部２bは、互いに対向している。受け部２cも互いに対向している。
【００２６】
そして、そのスライディングノズル保持部材２には、スライディングノズル３が第１の方向A1と交差する第２の方向A2にスライド可能に収容されている。
【００２７】
また、スライディングノズル３の落下を防止し、第２の方向A2に沿って（使用位置P１ に向けて）のスライディングノズル３のスライドをガイドする一対の固定ガイド部材７がベースプレート１に取り付けられている。固定ガイド部材７は、図２に示すように、待機位置Ｐ0と使用位置Ｐ1との間に位置する。また、固定ガイド部材７は、図４に示すように、ノズルプレート３bを下から受ける受け部７aとスライディングノズル３のスライドをガイドするガイド部７bを備えるＬ字状の断面をしている。
固定ガイド部材７は、
第１駆動手段４、第２駆動手段５は、たとえば、空気圧や油圧のシリンダ装置で形成されているが、場合によってはモータ駆動装置で形成されたベルトコンベアでもよい。
【００２８】
加圧手段６は、第２の方向A2に平行な軸６bに回転可能に軸支された独立した複数のアーム状の加圧板（鍵盤）６aを備えている。加圧板６aのスライディングノズル３から遠い一方の端部６a1を、図示しない加圧装置で下方（図２で紙面に対して上向き）に加圧して押し下げることで加圧板６aの他方の端部６a2が上方（図６で紙面に対して下向き）に押し上げられ、スライディングノズル３のノズルプレート３bがベースプレート１に押し付けられる。なお、図示しない加圧装置は、たとえば、空気圧、油圧、バネ等のシリンダ装置あるいはモータ駆動装置で形成される。
【００２９】
次に、本実施形態のスライディングノズル装置の動作を、たとえば、通孔１aと連通する使用位置Ｐ1にある点線で示すスライディングノズル３のノズル孔３aが溶損して大きくなったために新しいスライディングノズルと交換する場合について説明する。
【００３０】
先ず、加圧手段６による点線で示すスライディングノズル３の加圧を継続しながら、通孔１aを通り直線Ｌ１と交差する直線Ｌ2上（待機位置Ｐ0）にあるスライディングノズル保持部材２に収容されていた新しいスライディングノズル３を第２駆動手段５で第２の方向A2にスライドさせる。このとき、スライディングノズル３のノズルプレート３bの側面３b1はスライディングノズル保持部材２のガイド部２bと固定ガイド部材７とで第２の方向A2にガイドされる。
【００３１】
第２駆動手段５は、スライディングノズル３が通孔１aの位置（使用位置Ｐ1）にあった点線で示すスライディングノズル３を直線Ｌ2に沿って押し出し、通孔１aと連通する使用位置Ｐ1に停止するように制御される。
【００３２】
次に、第１駆動手段４で左側のスライディングノズル保持部材２を第１の方向A1にスライドさせ、真ん中のスライディングノズル保持部材２を直線Ｌ2上の待機位置Ｐ0に位置させ、一連の動作が終了する。
【００３３】
本実施形態のスライディングノズル装置は、第１の方向A1に並んだ複数のスライディングノズル３を、第１の方向A1と交差する第２の方向A2にスライドさせ、使用位置Ｐ１に位置する点線で示す損傷したスライディングノズル３と交換するので、第１の方向A1に長尺化することが無く、小型である。
【００３４】
また、スライディングノズル３を第１の方向A1にスライドさせ、その後第１の方向A1と交差する第２の方向A2にスライドさせるのに、可動部の無いスライディングノズル保持部材２を利用しているので、耐久性に優れている。
【００３５】
（実施形態２）図５は、本実施形態に係るスライディングノズル装置を下から見上げた上方視図である。実施形態１のスライディングノズル装置と同じ構成要素には同一の符号を付し、説明を省略する。
【００３６】
本実施形態のスライディングノズル装置は、実施形態１のスライディングノズル装置と以下の点が異なる。
【００３７】
すなわち、本実施形態のスライディングノズル装置は、ベースプレート１の下面側に第２の方向A2に沿ってスライド可能に配置された複数の予備スライディングノズル３A、３Bと、それらを第２の方向A2に沿ってスライドさせてスライディングノズル保持部材２に収容させる第３駆動手段８A、８Bとを備えている。７Aと７Bは、予備スライディングノズル３A、３Bを第２の方向A2にガイドする固定ガイドである。
【００３８】
また、本実施形態のスライディングノズル装置は、通孔１aの位置から通孔１aの下流（矢印A2方向）に直線Ｌ2に沿って排出されたスライディングノズルを、直線Ｌ2に沿ってスライドさせて排出させる１対の固定ガイド９を備えている。
【００３９】
予備スライディングノズル３Aは、直線Ｌ2から距離Ｄ図示左方（一方）に離れた直線Ｌ2a（直線Ｌ2に平行）上に配置されている。また、予備スライディングノズル３Bは、直線Ｌ2から距離Ｄ図示右方（他方）に離れた直線Ｌ2b（直線Ｌ2に平行）上に配置されている。
【００４０】
また、二つの併設されたスライディングノズル保持部材２は、所定の間隔隔てて連結部材２dによって連結され、第１駆動手段４で距離Ｄ第１の方向A1に沿って直線Ｌ1上を左右にスライドさせられるようになっている。
【００４１】
次に、本実施形態のスライディングノズル装置の動作を、図４の状態から、たとえば、使用位置Ｐ1にあって通孔１aと連通するスライディングノズルのノズル孔が溶損して大きくなったために新しいスライディングノズルと交換する場合について説明する。
【００４２】
先ず、加圧手段６による使用位置Ｐ1にあるスライディングノズルの加圧を継続しながら、通孔１aを通り直線Ｌ１と交差する直線Ｌ2上（待機位置Ｐ0）にあるスライディングノズル保持部材２に収容されていたスライディングノズル３を、第２駆動手段５で第２の方向A2にスライドさせる。このとき、スライディングノズル３のノズルプレート３bの側面３b1はスライディングノズル保持部材２のガイド部２bと固定ガイド部材７とで第２の方向A2にガイドされる。
【００４３】
第２駆動手段５は、待機位置Ｐ0にあったスライディングノズル３が通孔１aの位置（使用位置Ｐ1）にあったスライディングノズルを押し出し、通孔１aと連通する使用位置Ｐ1に停止するように制御される。
【００４４】
次に、第１駆動手段４で左側のスライディングノズル保持部材２を第１の方向A1に距離Ｄスライドさせて、左のスライディングノズル保持部材２を直線Ｌ2上の待機位置Ｐ0に位置させ、空になった右のスライディングノズル保持部材２を直線Ｌ1と交差する直線Ｌ2b上に位置させる。
【００４５】
次に、第３駆動手段８Bで予備スライディングノズル３Bを第２の方向A2にスライドさせ、直線Ｌ2b上にある空のスライディングノズル保持部材２に収容する。
【００４６】
次に、使用位置Ｐ1にあるスライディングノズルのノズル孔が溶損したら、待機位置Ｐ0に位置する左側のスライディングノズル保持部材２に収容されているスライディングノズル３を第２駆動手段５で第２の方向A2にスライドさせ、使用位置Ｐ1にあったスライディングノズルを押し出す。
【００４７】
次に、第１駆動手段４で空になった左側のスライディングノズル保持部材２を第１の方向A1と逆方向に距離Ｄスライドさせて、直線Ｌ1と交差する直線Ｌ2a上に位置させ、予備スライディングノズル３Bが収容されている右のスライディングノズル保持部材２を直線Ｌ2上の待機位置Ｐ0に位置させる。
【００４８】
次に、第３駆動手段８Aで予備スライディングノズル３Aを第２の方向A2にスライドさせ、直線Ｌ2a上にある空のスライディングノズル保持部材２に収容し、以下、上記の動作が繰り返される。
【００４９】
本実施形態のスライディングノズル装置は、第２の方向A2に沿ってスライド可能に配置された複数の予備スライディングノズル３A、３Bと、それらを第２の方向A2に沿ってスライドさせてスライディングノズル保持部材２に収容させる第３駆動手段８A、８Bとを備えているので、スライディングノズル保持部材２のスライディングノズルが無くなっても予備スライディングノズルと速やかに交換することができ、スライディングノズルの補充回数を少なくできる。
【符号の説明】
【００５０】
１・・・・・・・・・・・・ベースプレート
１a・・・・・・・・・・ 通孔
２・・・・・・・・・・・・スライディングノズル保持部材
３・・・・・・・・・・・・スライディングノズル
３a・・・・・・・・・・・ノズル孔
３A、３B・・・・・・・・・予備スライディングノズル
４・・・・・・・・・・・・第１駆動手段
５・・・・・・・・・・・・第２駆動手段
８A、８B・・・・・・・・・第３駆動手段
A1・・・・・・・・・・・・第１の方向
A2・・・・・・・・・・・・第２の方向
【図１】
0005606184.tif 000002
【図２】
0005606184.tif 000003
【図３】
0005606184.tif 000004
【図４】
0005606184.tif 000005
【図５】
0005606184.tif 000006
【図６】
0005606184.tif 000007